(57)【要約】    【課題】  工具が不要であり、ファンモータを筐体の設置面に対して垂直方向に押動させるだけで取付け，取り外し可能な取付具を提供する。    【解決手段】  取付具20は、筐体１に形成した舌片21をばね弾性で挟持する装着部26と、ファンモータユニット２に形成されたねじ通し孔７に挿入可能な差込部27と、差込部27の先端に設けられた鏃状の係止部28とから構成される。係止部28には、鏃の返しに相当する一対の係止片28ａ，28ｂが差込部27を挟んで対極に位置するよう設けられる。【選択図】  図２
2005273612.tif 000002
【特許請求の範囲】
【請求項１】
筐体に設けた被装着部に装着される装着部と、ファンモータに設けられた孔に挿入する差込部と、前記差込部の先端に弾性を有する部材で設けられ、前記ファンモータを係止する係止部とを備えたことを特徴とするファンモータ取付具。
【請求項２】
筐体に設けた被装着部に装着される装着部と、ファンモータに設けられた孔に挿入する弾性を有する板状部材で形成された差込部とを備え、前記差込部は、くびれ面を有する胴部と、当該胴部の先端にある押込部と、前記胴部から押込部にかけて形成した鋭角をなす係止角部とからなることを特徴とするファンモータ取付具。
【発明の詳細な説明】
【技術分野】
【０００１】
本発明は、電子機器の筐体に冷却用ファンモータを係止，固定するファンモータ取付具に関する。
【背景技術】
【０００２】
ユニット型スイッチング電源や小容量の無停電電源（ＵＰＳ）などの電子機器は、多くの熱量を発熱するため、冷却用ファンモータが取り付けられることが多い。電子機器の筐体にファンモータを取り付ける際には、ねじ固定するのが一般的である。
【０００３】
図７は、ファンモータを筐体にねじ固定する場合を示した斜視図であるが、電子機器の金属製筐体１には、取付具としてのねじ３を螺合するためのタップ穴５が、ファンモータユニット２を取付ける設置面６の四隅に設けられている。ファンモータユニット２の四隅にも、ねじ３を挿入するためのねじ通し孔７が、筐体１のタップ孔５の位置に合わせて、ファンモータユニット２の一方（排気面９）から他方（被設置面８）を前記設置面６に対して垂直に貫通するように設けられている。ファンモータ２の四隅に設けられたねじ通し孔７と筐体１の設置面６の四隅に設けられたタップ穴５とが連絡するように、ファンモータユニット２の被設置面８と筐体１の設置面６とを対向させ、ねじ３をファンモータユニット２の排気面９側からねじ通し孔７に挿入し、タップ穴５に螺合することにより、ファンモータユニット２が筐体１に取り付けられる。
【０００４】
筐体１を備える電子機器及びファンモータユニット２を通電させると、ファンモータユニット２内のファン10が回転し、その回転力により筐体１内の温まった空気が、筐体１の開口部15からファン10の回転軸に沿ってファンモータユニット２内に吸気され、ファンモータユニット２の吸気口11から排出されることで、筐体１内が冷却される。
【０００５】
このように、ねじ３のような従来の取付具では、ファンモータユニット２を筐体１に取り付ける際に、ドライバなどの工具を用意する必要がある。また、取付作業中においては、ファンモータユニット２を筐体１に位置合わせしながら、ドライバでねじ３を螺合するため、ねじ３が脱落，紛失する虞があった。従って、作業性が悪く、工数が多くなるという問題があった。
【０００６】
上記従来の取付具における問題を解決する手段として、特許文献１では、図８に示すように、筐体１の設置面６に係合穴16を形成し、ファンモータユニット２の係合穴16に対応する位置に舌片17を設け、当該舌片17を係合穴16に挿入し、舌片17を上方向から引掛けるように筐体１の設置面６裏側に係合させることで、作業性を向上させたファンケースの取り付け構造が開示されている。このようにすれば、筐体１に設けられたタップ孔５とファンモータユニット２に設けられたタップ孔７との位置合わせが容易に行なえるため、作業性が向上する。
【特許文献１】特開２００３−１１３８００号公報
【発明の開示】
【発明が解決しようとする課題】
【０００７】
しかし、ファンモータユニット２を筐体１に取付け固定するには、やはりねじ３のような取付具が必要となり、上述した従来の取付具における懸念が完全に払拭されるには至っていなかった。すなわち、ファンモータユニット２に設けた舌片17を筐体１の設置面６裏側に上方向から引掛けるように係合させた後、ファンモータユニット２を筐体１に取付け固定するには、従来例と同じように、ドライバを用意して、ねじ３を筐体１に設けたタップ穴５に螺合する必要があり、ねじ３が脱落，紛失する虞がある。また、ファンモータユニット２に設けた舌片17を筐体１の設置面６に形成した係合穴16に上方向から挿入するため、ファンモータユニット２を筐体１から取り付け，取り外しするには、筐体１の上方向に多少のスペースが必要となる。とりわけ、複数の電子機器が上下方向に段積みされた所謂ラック式の場合には、筐体１の上下方向にスペースがないため、ファンモータユニット２の取り付け，取り外しが困難となる。
【０００８】
そこで本発明は上記問題点に鑑み、工具が不要であり、ファンモータを筐体の設置面に対して垂直方向に押し引きするだけで取付け，取り外し可能な取付具を提供することを目的とする。
【課題を解決するための手段】
【０００９】
本発明の請求項１における取付具では、筐体に設けた被装着部をばね弾性で挟持する装着部と、ファンモータに設けられた孔に挿入する差込部と、前記差込部の先端に弾性を有する部材で設けられ、前記ファンモータを係止する係止部とを備えている。
【００１０】
このようにすると、ねじを使用しないため、ドライバなどの工具が不要となる。即ち、取付具を構成する装着部を筐体に装着し、一方、ファンモータに設けられた孔に差込部を挿入する際には、差込部先端に設けられた係止部が、前記孔に挿入可能な形状に弾性変形し、孔を抜け出ると元の形状に弾性復帰して係止されるため、ファンモータを筐体の設置面に対して垂直方向に押し引きするだけで取付け，取り外し可能となる。従って、筐体の上下方向にスペースがない場合でも、ファンモータの取り付け，取り外しが容易になる。
【００１１】
本発明の請求項２における取付具では、筐体に設けた被装着部に装着される装着部と、ファンモータに設けられた孔に挿入する弾性を有する板状部材で形成された差込部とを備え、前記差込部は、くびれ面を有する胴部と、当該胴部の先端にある押込部と、前記胴部から押込部にかけて形成した鋭角をなす係止角部とからなるよう構成している。
【００１２】
このようにすると、ねじを使用しないため、ドライバなどの工具が不要となる。即ち、取付具を構成する装着部を筐体に装着し、一方、ファンモータに設けられた孔に差込部を挿入する際には、押込部が前記孔に挿入可能な形状に弾性変形すると共に、胴部もくびれ部分が大きくなるように弾性変形し、係止角部がファンモータの被設置面を構成する部材から抜け出すと、押込部が元の形状に弾性復帰し、係止角部が被設置面の裏側で係止されると共に、胴部もそれぞれ弾性復帰し、前記孔の内周面に弾発的に当接することで、ファンモータが筐体に取り付けられる。よって、ファンモータを筐体の設置面に対して垂直方向に押し引きするだけで取付け，取り外し可能となる。また、筐体の上下方向にスペースがない場合でも、ファンモータの取り付け，取り外しが容易になり、作業性を大幅に改善することができる。
【発明の効果】
【００１３】
本発明の請求項１における取付具によれば、工具を用意しなくても、筐体にファンモータを取付けることができ、ファンモータを押し引きするだけで容易に取付け，取り外し可能となるので、作業性を大幅に改善することができる。
【００１４】
本発明の請求項２における取付具によれば、工具を用意しなくても、筐体にファンモータを取付けることができ、ファンモータを押し引きするだけで容易に取付け，取り外し可能となるので、作業性を大幅に改善することができる。また、係止角部で係止されると共に、胴部がファンモータに設けられた孔の内周面に弾発的に当接することで、ファンモータを強い係止力で取り付けることができる。
【発明を実施するための最良の形態】
【００１５】
以下、添付図面を参照しながら、本発明における取付具の好ましい各実施例を説明する。なお、これらの各実施例において、従来例と同一箇所には同一符号を付し、共通する部分の説明は重複するため極力省略する。
【実施例１】
【００１６】
図１は、本実施例における取付具20によりファンモータユニット２を電子機器の筐体１に取付けた状態を表す要部縦断面図である。電子機器の筐体１を構成するファンモータユニット２を設置する設置面６の四隅には、タップ穴５（図６参照）の替わりに筐体１の板金を切り起こした被装着部としての舌片21が形成され、当該舌片21に取付具20が装着されている。一方、ファンモータユニット２は従来例で示した構成のものをそのまま利用しているため、ファンモータユニット２の四隅には、従来例と同様に、ファンモータユニット２の一方（排気面９）から他方（被設置面８）を前記設置面６に対して垂直に貫通するねじ通し孔７が、取付具20の位置に合わせて設けられている。
【００１７】
取付具20は、図３に示すように、切り欠き25が形成され、筐体１に形成した舌片21を挿入する挿入部29を有する筐体１に装着される装着部26と、ファンモータユニット２に形成されたねじ通し孔７に挿入可能な差込部27と、差込部27の先端に設けられた鏃状の係止部28とから構成される。装着部26は、切り欠き25及び挿入部29を形成するように、弾性に富む金属板を四角く折り曲げることで形成され、舌片21をばね弾性で挟持する鉤状の挟持部26ａ，26ｂが対向して設けられる。また、差込部27と係止部28とは、弾性を有する例えば樹脂材料などで一体形成され、係止部28には、鏃の返しに相当する一対の係止片28ａ，28ｂが差込部27を挟んで対極に位置するよう設けられる。もちろん、取付具20を全て弾性を有する樹脂材料などで一体に形成してもよい。
【００１８】
次に、図１及び図２を参照しながら、取付具20の作用と共に、ファンモータユニット２を電子機器の筐体１に取付け，取り外しする手順について説明する。
【００１９】
電子機器の筐体１には、前述したように、予め金属製の筐体１を切り起こした舌片21を形成する。舌片21は、取付具20を構成する装着部26が装着しやすいように、端部を幅狭かつ外側に反り返るようにするとよい。また、舌片21を切り起こすときに生じる切削窓35は、装着部26の板厚を考慮して、挿入し易い適度な大きさにする。取付具20を舌片21に装着するには、取付具20の装着部26に形成された挿入部29に舌片21の端部を押し当て、力を加えると、切り欠き25が拡がるように一対の挟持部26ａ，26ｂが弾性変形し、舌片21が挟持部26ａ，26ｂに当接しながら押し込まれ、取付具20が筐体１の舌片21を挟持するように装着される。
【００２０】
続いて、ファンモータユニット２の四隅に設けられたねじ通し孔７と筐体１に装着された取付具20を構成する差込部27とが合うように、ファンモータユニット２の被設置面８と筐体１の設置面６とを対向させ、差込部27の先端である係止部28をファンモータユニット２の被設置面８側からねじ通し孔７に押し当てる。ファンモータユニット２の排気側９を筐体１の設置面６に対して垂直方向に力を加えて押すと、係止部28に設けられた係止片28ａ，28ｂが差込部27に密着するように弾性変形すると共に、ねじ通し孔７の内周面に当接しながら、ねじ通し孔７に押し込まれ、係止片28ａ，28ｂひいては係止部28がファンモータユニット２の被設置面８を構成する部材から抜け出すと、係止片28ａ，28ｂが元の形状に弾性復帰し、被設置面８の裏側で係止されることで、図１のように、ファンモータユニット２が筐体１に取り付けられる。
【００２１】
ファンモータユニット２を筐体１から取り外す際は、係止片28ａ，28ｂによる係止力に抗する力を加えることで、係止片28ａ，28ｂが弾性変形するため、ねじ通し孔７から係止部28を引き抜くことができる。
【００２２】
図４は、本実施例における取付具の変形例を示したものであるが、これは、図３で示した取付具20において、係止片28ａ，28ｂを差込部27にも複数並設したものである。ファンモータユニット２のねじ通し孔７に、ねじ３を螺合可能な雌ねじ溝が形成されている場合に、該複数の係止片28ａ，28ｂが、ねじ通し孔７内で雌ねじ溝にそれぞれ係止されるため、ファンモータユニット２をより強く筐体１に固定することが可能となる。
【００２３】
以上のように本実施例では、取付具20を、筐体１に設けた被装着部たる舌片21をばね弾性で挟持する装着部26と、ファンモータユニット２に設けられた孔たるねじ通し孔７に挿入する差込部27と、前記差込部27の先端に弾性を有する部材で設けられ、ファンモータユニット２を係止する係止片28ａ，28ｂを有する係止部28とを備えるよう構成している。
【００２４】
このようにすると、ねじ３を使用しないため、ドライバなどの工具が不要となる。即ち、取付具20を構成する装着部26のばね弾性を利用して筐体１に装着し、一方、ファンモータユニット２に設けられたねじ通し孔７に差込部27を挿入する際には、差込部27先端に設けられた係止部28が、ねじ通し孔７に挿入可能な形状に弾性変形し、ねじ通し孔７を抜け出ると元の形状に弾性復帰して係止されるため、ファンモータユニット２を筐体１の設置面６に対して垂直方向に押し引きするだけで取付け，取り外し可能となる。従って、筐体１の上下方向にスペースがない場合でも、ファンモータユニット２の取り付け，取り外しが容易になり、作業性を大幅に改善することができる。
【００２５】
また、係止片28ａ，28ｂを差込部27にも複数並設するようにしている。
【００２６】
このようにすると、ファンモータユニット２のねじ通し孔７に、ねじ３を螺合可能な雌ねじ溝が形成されている場合に、該複数の係止片28ａ，28ｂが、ねじ通し孔７内で雌ねじ溝にそれぞれ係止されるため、ファンモータユニット２をより強く筐体１に固定することが可能となる。
【実施例２】
【００２７】
図５及び図６は、本実施例における取付具の第２実施例を示したものであるが、装着部26は図３と同様である。すなわち、取付具20は、切り欠き25が形成され、筐体１に形成した舌片21を挿入部29に挿入し、筐体１に装着される装着部26と、ファンモータユニット２に形成されたねじ通し孔７に挿入可能な差込部27とから構成される。装着部26は、切り欠き25及び挿入部29を形成するように、弾性に富む金属板を四角く折り曲げることで形成され、舌片21をばね弾性で挟持する鉤状の挟持部26ａ，26ｂが対向して設けられる。また、差込部27は、同じく弾性に富む金属板を折り曲げることで形成され、差込部27の胴部30，30はくびれを有しており、それぞれの先端は扁平状の押込部31で連結されている。胴部30，30はくびれを有しているため、胴部30，30と押込部31とがそれぞれ鋭角を成した一対の係止角部32，32が形成される。もちろん、取付具20を全て弾性に富む金属板で一体に形成してもよい。
【００２８】
そして、第１実施例と同様に、ファンモータユニット２の四隅に設けられたねじ通し孔７と筐体１に装着された取付具20を構成する差込部27とが合うように、ファンモータユニット２の被設置面８と筐体１の設置面６とを対向させ、差込部27の先端である押込部31をファンモータユニット２の被設置面８側からねじ通し孔７に押し当てる。ファンモータユニット２の排気側９を筐体１の設置面６に対して垂直方向に力を加えて押すと、押込部31が湾曲するように弾性変形すると共に、胴部30，30もくびれ部分が大きくなるように弾性変形する。さらに力を加えると、係止角部32，32がねじ通し孔７の内周面に当接しながら、ねじ通し孔７に押し込まれ、係止角部32，32がファンモータユニット２の被設置面８を構成する部材から抜け出すと、押込部31が元の扁平状に弾性復帰し、係止角部32，32が被設置面８の裏側で係止されると共に、胴部30，30も弾性復帰し、ねじ通し孔７の内周面に弾発的に当接することで、ファンモータユニット２が筐体１に取り付けられる。このとき、胴部30ひいては差込部27は、構成部材である金属板の断面となる上下方向に対する剛性が強いためファンモータユニット２を支えたときに変形することはない。
【００２９】
以上のように本実施例では、取付具20を、筐体１に設けた被装着部たる舌片21をばね弾性で挟持する装着部26と、ファンモータユニット２に設けられた孔たるねじ通し孔７に挿入する弾性を有する板状部材で形成された差込部27とを備え、前記差込部27は、くびれ面を有する胴部30，30と、当該胴部30，30の先端にある押込部31と、前記胴部30，30から押込部31にかけて形成した鋭角をなす係止角部32，32とからなるよう構成している。
【００３０】
このようにすると、ねじ３を使用しないため、ドライバなどの工具が不要となる。即ち、取付具20を構成する装着部26のばね弾性を利用して筐体１に装着し、一方、ファンモータユニット２に設けられたねじ通し孔７に差込部27を挿入する際には、押込部31がねじ通し孔７に挿入可能な形状に弾性変形すると共に、胴部30，30もくびれ部分が大きくなるように弾性変形し、係止角部32，32がファンモータユニット２の被設置面８を構成する部材から抜け出すと、押込部31が元の形状に弾性復帰し、係止角部32，32が被設置面８の裏側で係止されると共に、胴部30，30も弾性復帰し、ねじ通し孔７の内周面に弾発的に当接することで、ファンモータユニット２が筐体１に取り付けられる。よって、ファンモータユニット２を筐体１の設置面６に対して垂直方向に押し，引きするだけで取付け，取り外し可能となる。また、筐体１の上下方向にスペースがない場合でも、ファンモータユニット２の取り付け，取り外しが容易になり、作業性を大幅に改善することができる。
【００３１】
また本実施例では、差込部27は、構成部材である金属板の断面方向でファンモータユニット２の自重を支持するようにしている。
【００３２】
このようにすると、胴部30，30ひいては差込部27は、構成部材である金属板の断面となる上下方向に対する剛性が強いためファンモータユニット２を支えたときに変形することはない。
【００３３】
なお、本発明は、上記実施例に限定されるものではなく、本発明の趣旨を逸脱しない範囲で変更可能である。筐体１の舌片21を形成せずに、筐体１自体に差込部27，係止部28を形成するようにしてもよい。また、取付具20の全体を弾性を有する樹脂材料で形成してもよい。さらに、押込部31の中央に弾性変形しやすいように折り目を設けてもよい。
【図面の簡単な説明】
【００３４】
【図１】本発明の第１実施例における取付具の使用態様を表す要部縦断面図である。
【図２】同上、取付具の使用態様を表す部分斜視図である。
【図３】同上、取付具の平面図である。
【図４】同上、変形例を示す取付具の平面図である。
【図５】本発明の第２実施例における取付具の平面図である。
【図６】同上、取付具の側面図である。
【図７】従来例における取付具の使用態様を表す斜視図である。
【図８】同上、取付具の使用態様を表す要部断面図である。
【符号の説明】
【００３５】
１  筐体
２  ファンモータユニット（ファンモータ）
７  ねじ通し孔（孔）
20  取付具
21  舌片（被装着部）
26  装着部
27  差込部
28  係止部
28ａ，28ｂ  係止片
30  胴部
31  押込部
32  係止角部
【図１】
2005273612.tif 000003
【図２】
2005273612.tif 000004
【図３】
2005273612.tif 000005
【図４】
2005273612.tif 000006
【図５】
2005273612.tif 000007
【図６】
2005273612.tif 000008
【図７】
2005273612.tif 000009
【図８】
2005273612.tif 000010